(57)【要約】【課題】空気の淀みが無くファン効率の高い空気調和機を提供する。【解決手段】吹き出し口１３に連通し、熱交換器１０を収納する熱交換器室４と、吸い込み口５に連通すると共に遠心ファン６を内装したファンケーシング７と前記遠心ファン６を駆動するモータ８を収納する送風機室３とを備え、前記熱交換器室４と送風機室３とを仕切り板２で区画し、前記ファンケーシング７の外側に整流板１４を設けたもので、吸い込み口５からの吸い込み空気の流れのよどみを減らし、よりファンケーシング７に沿わせて、遠心ファン６へ流入させることにより、ファンの特性を向上させることができる。【選択図】図１
2006145109.tif 000002
【特許請求の範囲】
【請求項１】
吹き出し口に連通し、熱交換器を収納する熱交換器室と、吸い込み口に連通すると共に遠心ファンを内装したファンケーシングと前記遠心ファンを駆動するモータを収納する送風機室とを備え、前記熱交換器室と送風機室とを仕切り板で区画し、前記ファンケーシングの外側に整流板を設けたことを特徴とする空気調和機。
【請求項２】
ファンケーシングと整流板とを接着した請求項１に記載の空気調和機。
【請求項３】
整流板をファンケーシングの軸方向の中央に設置した請求項１又は２に記載の空気調和機。
【請求項４】
整流板の少なくとも一部に多孔質材料を用いた請求項１〜３のいずれか１項に記載の空気調和機。
【請求項５】
整流板を吸い込み口側に設置した請求項１〜４のいずれか１項に記載の空気調和機。
【請求項６】
整流板の空気流入側端面に丸みを持たせた請求項１〜５のいずれか１項に記載の空気調和機。
【発明の詳細な説明】
【技術分野】
【０００１】
本発明は、空気調和機に関するものである。
【背景技術】
【０００２】
従来のこの種の空気調和機として、例えば、図９に示すような構成が一般的であった（例えば、特許文献１参照）。
【０００３】
図９において、熱交換器２１と、送風機２２と、熱交換器２１で凝縮された水を受けるドレンパン２３が室内ユニット３３の外箱２４の内部に装着されている。前記送風機２２は、モータ２２Ａと遠心ファン２２Ｂとケーシング２２Ｃより構成されており、前記外箱２４には、Ｌ字型の吊り金具２５ａ、２５ｂが固着されていて、吊りボルト２６ａ、２６ｂ、ナット２７ａ、２７ｂ、２７ｃ、２７ｄによって梁２８等に吊り下げられており、室内ユニット３３の吸い込み部２９と吹き出し部３０を有するグリル３１が天井３２に合わせて装着され、前記外箱２４は、天井内３３に設置されている。
【０００４】
前記モータ２２Ａの駆動により、前記吸い込み部２９から前記送風機２２に吸い込まれた空気は前記熱交換器２１を通過し、熱交換されて前記吹き出し部３０より室内へ吹き出される。
【特許文献１】特公平６−８２００６号公報
【発明の開示】
【発明が解決しようとする課題】
【０００５】
しかしながら、前記従来の空気調和機の構成では、室内空気が室内ユニット３３の吸い込み部２９から送風機２２のケーシング２２Ｃに至る際に、図９のＡ−Ａ断面図である図１０に示す破線の矢印のように、遠心ファン２２Ｂが対称的な２連構成になっている場合、両側２２Ｄより空気を吸い込む送風機２２において、吸い込み部２９とケーシング２２Ｃの間で空気の流れがよどむ箇所２２Ｅができて、そのため、遠心ファン２２Ｂの風量が低下したり、遠心ファン効率が悪化したり、ファン騒音が大きくなるという課題を有していた。
【０００６】
本発明は、上記従来の課題を解決するもので、吸い込み空気の流れをよりケーシングに沿わせて、よどんだ空気を減らし、遠心ファンへ流入させることにより、ファンの特性を向上させた空気調和機を提供することを目的とするものである。
【課題を解決するための手段】
【０００７】
前記従来の課題を解決するために、本発明の空気調和機は、吹き出し口に連通し、熱交換器を収納する熱交換器室と、吸い込み口に連通すると共に遠心ファンを内装したファンケーシングと前記遠心ファンを駆動するモータを収納する送風機室とを備え、前記熱交換器室と送風機室とを仕切り板で区画し、前記ファンケーシングの外側に整流板を設けたもので、吸い込み口からの吸い込み空気の流れのよどみを減らし、よりファンケーシングに沿わせて、遠心ファンへ流入させることにより、ファンの特性を向上させることができる。
【発明の効果】
【０００８】
本発明の空気調和機は、吸い込み空気の流れをよりケーシングに沿わせて、流れのよどみや衝突を低減させ、遠心ファンの効率を向上させ、騒音を低減することができる。
【発明を実施するための最良の形態】
【０００９】
第１の発明は、吹き出し口に連通し、熱交換器を収納する熱交換器室と、吸い込み口に連通すると共に遠心ファンを内装したファンケーシングと前記遠心ファンを駆動するモータを収納する送風機室とを備え、前記熱交換器室と送風機室とを仕切り板で区画し、前記ファンケーシングの外側に整流板を設けたもので、吸い込み口からの吸い込み空気の流れのよどみを減らし、よりファンケーシングに沿わせて、遠心ファンへ流入させることにより、ファンの特性を向上させることができる。
【００１０】
第２の発明は、特に、第１の発明のファンケーシングと整流板とを接着したもので、ファンケーシングと整流板の間隔をなくし、より流れをファンケーシングに沿わせて、遠心ファンへ流入させることにより、ファンの特性を向上させることができる。
【００１１】
第３の発明は、特に、第１又は第２の発明の整流板をファンケーシングの軸方向の中央に設置したもので、よりファンケーシングの両側へ均等に流れを分け、ファンケーシングに沿って、吸い込ませることが可能となり、遠心ファンの特性を向上させることができる。
【００１２】
第４の発明は、特に、第１〜３のいずれか一つの発明の整流板の少なくとも一部に多孔質材料を用いたもので、吸い込み流れの圧力脈動を抑えることができ、より遠心ファンの低騒音化を実現することができる。
【００１３】
第５の発明は、特に、第１〜４のいずれか一つの発明の整流板を吸い込み口側に設置したもので、吸い込まれた直後の空気の流れをスムーズにファンケーシングに沿わせ、遠心ファンの特性を向上させることができる。
【００１４】
第６の発明は、特に、第１〜５のいずれか一つの発明の整流板の空気流入側端面に丸みを持たせたもので、整流板への空気の流れの衝突を緩和し、スムーズにファンケーシングに沿わせ、遠心ファンの特性を向上させることができる。
【００１５】
以下、本発明の実施の形態について、図面を参照しながら説明する。なお、本実施の形態によって本発明が限定されるものではない。
【００１６】
（実施の形態１）
図１は、本発明の第１の実施の形態における空気調和機の断面図、図２は、図１のＢ−Ｂ断面図である。
【００１７】
図１、２において、１は空調機本体で、この本体１の内部は仕切り板２によって、送風機室３と熱交換器室４とに区画されている。送風機室３内には吸い込み口５と遠心ファン６を内装したファンケーシング７、前記ファン６を駆動するモータ８を具備している。ファンケーシング７の外側で、中央部に、しかも遠心ファン６の回転中心線に直交する方向に整流板１４が設けられている。
【００１８】
熱交換器室４内には、側板（図示せず）に支持された熱交換器１０と、その下部にドレンパン１１を具備している。また、本体４の前面には風向変更装置１２を具備した吹き出し口１３を構成している。
【００１９】
以上のように構成された空気調和機において、モータ８の駆動により、室内の空気は吸い込み口５から整流板１４によって、流れが均一かつよどみなくファンケーシング７の両吸い込みがわに沿って、ファンケーシング７内に流入し、遠心ファン６によって昇圧され、その後、ファンケーシング７出口より吹き出され、熱交換器１０で熱交換されて風向変更装置１２に流入し、吹き出し口１３から再び室内へ送り出される。
【００２０】
その際、図２に示す破線の矢印のように、従来のような空気の流れのよどみや衝突が整流板１４によって、減少し、緩和され、ファンケーシング７の両側へスムーズに吸い込まれる。これにより空気の流れが切れにくく、よりファンケーシング７の側板９に沿って遠心ファン６へ流入しやすい為、低騒音でかつ効率に良い送風回路を実現することができる。
【００２１】
（実施の形態２）
図３は、本発明の第２の実施の形態における空気調和機の断面図を示すものである。なお、上記実施の形態と同一部分については同一符号を付してその説明を省略する。
【００２２】
本実施の形態では、ファンケーシング７と整流板１４とを接着させるように設けたもので、それによりファンケーシング７と整流板１４との間隔をなくし、より流れをファンケーシング７に沿わせて、遠心ファン６へ流入させることができ、遠心ファン６の特性を向上させることができる。
【００２３】
なお、図４に示すようなファンケーシング７に接着された整流板１４形状でもよい。
【００２４】
（実施の形態３）
図５は、本発明の第３の実施の形態における空気調和機の要部平面図である。なお、上記実施の形態と同一部分については同一符号を付してその説明を省略する。
【００２５】
本実施の形態では、整流板１４をケーシング７の軸方向の中央に設置するもので、より両側へ均等に流れを分け、ファンケーシング７に沿って、吸い込ませることが可能となり、遠心ファン６の特性を向上させることができる。
【００２６】
（実施の形態４）
図６は、本発明の第４の実施の形態における空気調和機の要部平面図である。なお、上記実施の形態と同一部分については同一符号を付してその説明を省略する。
【００２７】
本実施の形態では、整流板１４に多孔質材料１４Ａを用いるようにしたもので、吸い込み流れの圧力脈動を抑えることができ、より遠心ファン６の低騒音化を実現することができる。なお、多孔質材料１４Ａは整流板１４の一部に用いても良い。
【００２８】
（実施の形態５）
図７は、本発明の第５の実施の形態における空気調和機の断面図である。なお、上記実施の形態と同一部分については同一符号を付してその説明を省略する。
【００２９】
本実施の形態は、整流板１４を吸い込み口５に近いファンケーシング７部分に設けたもので、吸い込み口５から吸い込まれた直後の空気の流れをスムーズにファンケーシング７に沿わせ、遠心ファン６の特性をさらに向上させることができる。
【００３０】
（実施の形態６）
図８は、本発明の第６の実施の形態における空気調和機の要部平面図である。なお、上記実施の形態と同一部分については同一符号を付してその説明を省略する。
【００３１】
本実施の形態は、整流板１４の空気流入側の端面１４Ｂに丸みを持たせたもので、整流板１４への流れの衝突を緩和し、スムーズにファンケーシング７に沿わせ、遠心ファン６の特性を向上させることができる。
【産業上の利用可能性】
【００３２】
以上のように、本発明にかかる空気調和機は、吸い込み空気の流れのよどみが少なく、よりファンケーシングに沿わせて、空気が遠心ファンの流入することにより、遠心ファンの特性を向上させることができるので、空気調和機関連に限らず、遠心ファンを用いた様々な機器にも適用できる。
【図面の簡単な説明】
【００３３】
【図１】本発明の実施の形態１における空気調和機の断面図
【図２】図１のＢ−Ｂ断面図
【図３】本発明の実施の形態２における空気調和機の断面図
【図４】他の例を示す空気調和機の要部平面図
【図５】本発明の実施の形態３における空気調和機の要部平面図
【図６】本発明の実施の形態４における空気調和機の要部平面図
【図７】本発明の実施の形態５における空気調和機の断面図
【図８】本発明の実施の形態６における空気調和機の要部平面図
【図９】従来の空気調和機の断面図
【図１０】図９のＡ−Ａ断面図
【符号の説明】
【００３４】
１  空調機本体
２  仕切り板
３  送風機室
４  熱交換器室
５  吸い込み口
６  遠心ファン
７  ファンケーシング
８  モータ
１０  熱交換器
１３  吹き出し口
１４  整流板
１４Ａ  多孔質材料
【図１】
2006145109.tif 000003
【図２】
2006145109.tif 000004
【図３】
2006145109.tif 000005
【図４】
2006145109.tif 000006
【図５】
2006145109.tif 000007
【図６】
2006145109.tif 000008
【図７】
2006145109.tif 000009
【図８】
2006145109.tif 000010
【図９】
2006145109.tif 000011
【図１０】
2006145109.tif 000012